(57)【要約】      （修正有）【課題】スペース効率良く設置でき、ボードの着脱を容易に行うことができるボード支持具を提供する。【解決手段】支持面３１に支持される底面部１１と、底面部の縁部から略垂直に起立する背面部１３と、底面部及び背面部に対して略垂直で、底面部と背面部を接続する側面部１２と、底面部と側面部に接続し、背面部との間に隙間部１６を空けて対向する前面部１５とを有し、陳列される商品の背後に位置するボードを隙間部に挿入して支持する。【選択図】図２
0003224640.tif 000002
【実用新案登録請求の範囲】
【請求項１】
支持面に支持される底面部と、
前記底面部の縁部から略垂直に起立する背面部と、
前記底面部及び前記背面部に対して略垂直で、前記底面部と前記背面部を接続する側面部と、
前記底面部と前記側面部に接続し、前記背面部との間に隙間部を空けて対向する前面部と、
を有し、
陳列される商品の背後に位置するボードを、前記隙間部に挿入して支持することを特徴とするボード支持具。
【請求項２】
前記隙間部を対向させて配置した一対の前記ボード支持具によって、前記ボードの両端部を支持することを特徴とする請求項１に記載のボード支持具。
【請求項３】
前記底面部と前記側面部と前記背面部及び前記前面部とが互いに略垂直な関係になる使用形状と、前記底面部と前記側面部が略平行になって接する折り畳み形状とに変形可能であることを特徴とする請求項１又は請求項２に記載のボード支持具。
【請求項４】
前記底面部と前記側面部と前記背面部及び前記前面部とはそれぞれ扇形であることを特徴とする請求項１から請求項３のいずれか１項に記載のボード支持具。
【請求項５】
前記支持面に固定する固定手段を前記底面部に有することを特徴とする請求項１から請求項４のいずれか１項に記載のボード支持具。
【考案の詳細な説明】
【技術分野】
【０００１】
本考案は、商品陳列の背景などに用いられるボードを支持するボード支持具に関する。
【背景技術】
【０００２】
商品陳列の分野で、陳列される商品の背後に設けられて情報表示や装飾などを行って、広告や販促の効果を得るためのボード類（トップボードやバックボード）が多用されている。
【０００３】
特許文献１には、箱状のトレーの内部に商品支持用の棚を設置し、トレーの後壁と棚の後部との間に広告パネルを挿入する構造の陳列台が開示されている。
【０００４】
特許文献２のように、広告用のボードを自立させて支持するスタンド型のボード支持具（陳列用支持装置）も知られている。このタイプのボード支持具は、既存の商品陳列台などに載せて用いることができる。
【先行技術文献】
【特許文献】
【０００５】
【特許文献１】特開２００４−１６５４０号公報
【特許文献２】実開平１−１７７９６３号公報
【考案の概要】
【考案が解決しようとする課題】
【０００６】
特許文献１の陳列台は、広告パネルを自立させるものではなく、トレーと棚で挟んで広告パネルを支持しているので、陳列台の構造に依存した形態の広告パネルになり、広告パネルの形状や設置場所の自由度が制約されるという課題がある。
【０００７】
特許文献２に記載されたボード支持具は、ボードの表裏を挟むクランプ構造の嵌合具を有し、安定した支持を実現するために、ボード厚み方向の両側に突出する脚状の基礎部材によって嵌合具を支えている。そのため、ボード支持具を商品陳列台に載せたときに、商品陳列台の奥行き方向でボードの裏側に、基礎部材用のデッドスペースが生じてしまうという課題があった。このデッドスペースの分、商品陳列台の有効面積が狭くなり、商品の陳列効率が悪化してしまう。また、嵌合具や基礎部材を組み合わせて構成したボード支持具は構造が複雑であり、製造コストが高いこと、設置や撤収に手間がかかること、使用後の処分が面倒であること、などの問題がある。
【０００８】
本考案は、上記の問題意識に基づいて完成されたものであり、スペース効率良く設置でき、ボードの着脱を容易に行うことができるボード支持具を提供することを目的とする。
【課題を解決するための手段】
【０００９】
本考案のボード支持具は、支持面に支持される底面部と、底面部の縁部から略垂直に起立する背面部と、底面部及び背面部に対して略垂直で、底面部と背面部を接続する側面部と、底面部と側面部に接続し、背面部との間に隙間部を空けて対向する前面部と、を有し、陳列される商品の背後に位置するボードを隙間部に挿入して支持することを特徴とする。
【００１０】
隙間部を対向させて配置した一対のボード支持具によってボードの両端部を支持することで、ボードのより安定した支持を実現できる。
【００１１】
ボード支持具は、底面部と側面部と背面部及び前面部とが互いに略垂直な関係になる使用形状と、底面部と側面部が略平行になって接する折り畳み形状とに変形可能であることが好ましい。
【００１２】
ボード支持具における底面部と側面部と背面部及び前面部とを、それぞれ扇形にしてもよい。
【００１３】
支持面に固定する固定手段を底面部に備えてもよい。
【考案の効果】
【００１４】
本考案によれば、スペース効率良く設置でき、ボードの着脱を容易に行うことができるボード支持具を提供することができる。
【図面の簡単な説明】
【００１５】
【図１】背景ボートを取り付ける前の状態のボード支持具を示す斜視図である。
【図２】背景ボートを取り付けた使用状態のボード支持具を示す斜視図である。
【図３】ボード支持具の異なる使用例を示す斜視図である。
【考案を実施するための形態】
【００１６】
図１及び図２を参照して、本実施の形態に係るボード支持具１０について説明する。ボード支持具１０は、商品陳列用の陳列台３０の上面３１に載せられて、背景ボード２０を支持するものである。以下の説明における各方向は、ボード支持具１０により支持された状態の背景ボード２０を基準として表現しており、背景ボード２０の横幅方向をＸ軸方向、背景ボード２０の高さ方向をＹ軸方向とする。また、陳列台３０の奥行き方向をＺ軸方向とする。
【００１７】
Ｘ軸方向に離間して配置した一対のボード支持具１０を用いて背景ボード２０を支持する。個々のボード支持具１０は、互いに略垂直な関係の底面部１１と側面部１２と背面部１３を有している。底面部１１、側面部１２、背面部１３はそれぞれ、共通の頂点１４を中心とする中心角９０度の扇形である。
【００１８】
底面部１１は、Ｘ軸方向とＺ軸方向の成分からなる面であり、頂点１４からＸ軸方向とＺ軸方向に延びる２本の半径と、その間の円弧とで囲まれる領域である。側面部１２は、Ｙ軸方向とＺ軸方向の成分からなる面であり、頂点１４からＹ軸方向とＺ軸方向に延びる２本の半径と、その間の円弧とで囲まれる領域である。背面部１３は、Ｘ軸方向とＹ軸方向の成分からなる面であり、頂点１４からＸ軸方向とＹ軸方向に延びる２本の半径と、その間の円弧とで囲まれる領域である。
【００１９】
底面部１１と側面部１２の境界である境界線Ｌ１、底面部１１と背面部１３の境界である境界線Ｌ２、側面部１２と背面部１３の境界である境界線Ｌ３は、互いに略垂直であり、頂点１４で交わっている。背面部１３は、底面部１１のＺ軸方向の奥側の縁部である境界線Ｌ２から略垂直に起立した形状である。側面部１２は、境界線Ｌ１と境界線Ｌ３の箇所で底面部１１と背面部１３に接続しており、底面部１１に対して側面部１２が起立する形状を、背面部１３が支えとなって維持させる。つまり、ボード支持具１０は、底面部１１を下方に向けた状態で、図１及び図２に示すように自立させることができる。
【００２０】
ボード支持具１０はさらに、Ｚ軸方向で背面部１３の手前側に位置する前面部１５を有する。前面部１５は、背面部１３と略同じ寸法の扇形であり、境界線Ｌ２と略平行な境界線Ｌ４で底面部１１に接続し、境界線Ｌ３と略平行な境界線Ｌ５で側面部１２に接続している。背面部１３と前面部１５は略平行であり、Ｚ軸方向に所定の間隔を空けて対向している。この背面部１３と前面部１５の間に中空状の隙間部１６が形成される。背面部１３及び前面部１５の円弧部分の間で隙間部１６が開放されている。
【００２１】
ボード支持具１０は、所定の厚みを持つ厚紙などのシート材を貼り合わせて構成される。例えば、底面部１１と側面部１２を２枚のシート材の貼り合わせで形成する。この２枚のシート材のうち１枚によって背面部１３を形成し、別の１枚によって前面部１５を形成することができる。
【００２２】
図１及び図２に示すボード支持具１０は、底面部１１と側面部１２と背面部１３（及び前面部１５）が互いに略垂直な関係になるように展開して使用状態にしたものである。使用しない状態では、ボード支持具１０を折り畳んで平らな板状にすることができる。例えば、底面部１１と側面部１２の間の境界線Ｌ１を折り曲げて、図１に矢印Ｆ１で示すように底面部１１と側面部１２を接近させる。このとき、境界線Ｌ１の延長上に位置する折り畳み線Ｌ６（図１参照）に沿って、背面部１３及び前面部１５を折り曲げる。これにより、境界線Ｌ２，境界線Ｌ３，境界線Ｌ４，境界線Ｌ５の部分が平らな形状になり、ボード支持具１０が平らな板状になる。このようにボード支持具１０を折り畳むことで小型化（薄型化）され、スペースをとらずに収納や運搬を行うことができる。なお、ボード支持具１０を折り畳みやすくするために、折り畳み線Ｌ６に沿う折り線を、予め背面部１３及び前面部１５に形成してもよい。
【００２３】
背景ボード２０を支持する際には、図１に示すように一対のボード支持具１０を、互いの隙間部１６が対向するようにＸ軸方向で対称に配置する。Ｘ軸方向での一対のボード支持具１０の配置は、互いの側面部１２の間隔が、支持する背景ボード２０のＸ軸方向の寸法と同等以上になるようにする。そして、各ボード支持具１０の隙間部１６に対して上方から背景ボード２０を挿入することで、背景ボード２０のＸ軸方向の両縁の下部（両端部）がボード支持具１０による支持を受け、背景ボード２０が自立した状態になる。一対のボード支持具１０の底面部１１によって背景ボード２０からの荷重を受けるため、背景ボード２０が自立する状態を維持できる。
【００２４】
図２に示す形態では、一対のボード支持具１０を陳列台３０の上面３１に載せている。陳列台３０上でのＺ軸方向における一対のボード支持具１０の位置は任意に選択できるが、図２では、各ボード支持具１０をＺ軸方向の最も奥側の位置に設置している。すなわち、各ボード支持具１０の背面部１３が、陳列台３０のうちＺ軸方向の奥側の辺に沿うように設置している。これにより、背景ボード２０が陳列台３０の最奥部分から立ち上がった状態になり、Ｚ軸方向で陳列台３０の全体を商品陳列用のスペースとして用いることができる。
【００２５】
また、図２に示すように、一対のボード支持具１０を、陳列台３０の上面３１に載る範囲でＸ軸方向に最大限に離間させる（各ボード支持具１０の側面部１２が、陳列台３０のうちＸ軸方向の両端に沿うように設置する）ことで、Ｘ軸方向で陳列台３０の全体を商品陳列用のスペースとして用いることができる。
【００２６】
ボード支持具１０の底面部１１の下面側には、固定手段１７を設けている。固定手段１７は、底面部１１を載置する支持面の状態や材質に応じて、両面テープや磁石などが適宜選択される。陳列台３０が磁性体を含む材質である場合は、固定手段１７に磁石を用いて磁力による固定を行うことができる。あるいは、固定手段１７に両面テープを用いれば、陳列台３０が非磁性体の場合にも確実に固定させることができる。固定手段１７によって陳列台３０の上面３１にボード支持具１０を固定させることで、背景ボード２０をより安定的に支持することができる。特に、固定手段１７で固定することにより、Ｚ軸方向で奥側への背景ボード２０の倒れを防止できる。
【００２７】
図２に示すように、一対のボード支持具１０を介して背景ボード２０を支持させた状態で、陳列台３０上に商品４０を載せて陳列する。背景ボード２０は、商品４０の背後に位置して、情報表示や装飾によって広告や販促の効果をもたらすものである。そして、背景ボード２０が陳列台３０の最奥部分に位置するので、背景ボード２０に妨げられずに陳列台３０の面積を最大に利用して多くの商品４０を陳列することができ、陳列のスペース効率が向上する。
【００２８】
各ボード支持具１０における底面部１１は、陳列台３０の上面３１に沿った平面形状であるため、底面部１１上にも商品４０を安定して陳列することができる。つまり、ボード支持具１０を設置しても、陳列台３０での陳列のスペース効率が悪化しない。また、商品４０を底面部１１上に載せることで、商品４０の重さによる安定性がボード支持具１０に加わる。従って、商品４０を底面部１１に載せる場合に、固定手段１７による底面部１１の固定を省略することも可能である。
【００２９】
ボード支持具１０における底面部１１や側面部１２や前面部１５に、情報表示や装飾を行ってもよい。例えば、図２に示すように、前面部１５は背景ボード２０の前面の一部を覆っているので、前面部１５と背景ボード２０に連続するデザインなどを施してもよい。
【００３０】
背景ボード２０を取り外す際には、一対のボード支持具１０の隙間部１６から上方へ背景ボード２０を引き抜く。そして、陳列台３０上から一対のボード支持具１０を取り除けば、容易に片付けが完了する。
【００３１】
図３は、ボード支持具１０の異なる使用例を示している。先に説明した図２の形態では、ボード支持具１０の底面部１１を載せる支持面として、陳列台３０の上面３１を用いている。これに対し、図３の形態では、陳列台３０とは別の支持面上に底面部１１に載せている。例えば、商品陳列棚の棚板上に底面部１１を直接に支持させた場合などに対応する。そして、ボード支持具１０に対して上方から陳列台３０を載せている。すなわち、底面部１１上に陳列台３０の下面を載せている。この形態でも、ボード支持具１０や背景ボード２０に遮られずに陳列台３０の上面３１の面積を最大に利用して商品陳列を行うことができる。さらに、陳列台３０を底面部１１に載せることで、陳列台３０の重さによってボード支持具１０の安定性を高めることができる。
【００３２】
以上のように、本実施の形態のボード支持具１０によれば、背景ボード２０を支持した状態で、陳列台３０上のスペースを最大限に有効利用した商品陳列を実現できる。これにより、スペースが限られた売り場環境で余分な場所を取らずに背景ボード２０を設置して、効率的な販促効果を得ることができる。ボード支持具１０への背景ボード２０の着脱は、スリット状の隙間部１６への挿脱により行うので、複雑な動作や手間がかからず、背景ボード２０の設置と撤収を非常に容易なものとすることができる。
【００３３】
ボード支持具１０は、底面部１１に商品や陳列台３０を載せることで安定する構造であり、設置に手間をかけずに容易に背景ボード２０の安定した支持を実現できる。さらに、固定手段１７を用いて安定性の向上を図ることもできる。
【００３４】
ボード支持具１０は、厚紙などのシート材を適宜折り曲げたり貼り合わせたりすることで簡単に製造でき、既存のスタンド型のボード支持具に比べて、低コストで迅速に得られる。特に、ボード支持具１０を厚紙で構成すれば、使用後の処分の手間もかからない。また、ボード支持具１０は、非使用時には折り畳んで平板状になるため、収納性や運搬性にも優れている。
【００３５】
上記の形態では、ボード支持具１０における底面部１１，側面部１２，背面部１３，前面部１５をそれぞれ扇形としているが、ボード支持具１０の各面部は扇形には限定されない。例えば、底面部１１，側面部１２，背面部１３，前面部１５のそれぞれで扇形の円弧としている縁部を直線状にして、三角形状の各面部にしてもよい。また、底面部１１，側面部１２，背面部１３，前面部１５の各面部を同一形状にせず、形状を異ならせてもよい。例えば、底面部１１を面積の大きい四角形状にしてボード支持具１０の安定性を高めるなどしてもよい。つまり、ボード支持具１０の各面部は、様々な形状を選択可能であり、使用状態でボード支持具１０を自立させることができ、且つ隙間部１６に挿入した背景ボード２０を安定して支持できるものであればよい。
【００３６】
上記の形態では、Ｘ軸方向に離間する一対のボード支持具１０で１枚の背景ボード２０を支持している。これとは異なり、背景ボード２０の安定した支持を実現できることを条件として、１つのボード支持具のみで背景ボード２０を支持することも可能である。例えば、上記の形態よりも底面部１１，背面部１３，前面部１５をそれぞれＸ軸方向に長い形状にして安定性を向上させることで、単一のボード支持具による背景ボード２０の支持を行わせてもよい。
【００３７】
また、図２に示す背景ボード２０の支持構造がＸ軸方向に複数並ぶ連続配置にしてもよい。この場合、２つのボード支持具１０が互いの側面部１２を背中合わせに接するようにして、この側面部１２の背中合わせ部分を両面テープや接着剤などで固定してもよい。
【符号の説明】
【００３８】
１０  ：ボード支持具
１１  ：底面部
１２  ：側面部
１３  ：背面部
１５  ：前面部
１６  ：隙間部
１７  ：固定手段
２０  ：背景ボード
３０  ：陳列台
３１  ：上面（支持面）
４０  ：商品
【図１】
0003224640.tif 000003
【図２】
0003224640.tif 000004
【図３】
0003224640.tif 000005